(57)【要約】【課題】ドリンクホルダの幅が小さくトレイの幅を広くとることができない場合であっても、ドリンク容器を安定して保持することができる車両用ドリンクホルダを提供することを課題とする。【解決手段】インストルメントパネル３の正面に形成した開口部３ａ内に固定されたアウタケース１０と、車幅方向に並べる複数のドリンク容器を把持する把持部２２、２２を有し前記アウタケース１０に摺動自在に嵌装されて、前記アウタケース１０を介して前記開口部３ａ内に収納および前記開口部３ａ内から引き出し自在に装着されたインナケース２０と、前記各ドリンク容器の底面側を受承可能な受承部３２を有し前記インナケース２０に傾動可能に連結された略逆Ｔ字形状のトレイ３０とを備えた車両用ドリンクホルダであって、前記受承部３２の両端には前記傾動に応じて前記各ドリンク容器の底面側の受承を拡大する方向に突出可能なサポート部材３４を備えている。【選択図】        図１
2005306148.tif 000002
【特許請求の範囲】
【請求項１】
インストルメントパネルの正面に形成した開口部内に固定されたアウタケースと、
車幅方向に並べる複数のドリンク容器を把持する把持部を有し前記アウタケースに摺動自在に嵌装されて、前記アウタケースを介して前記開口部内に収納および前記開口部内から引き出し自在に装着されたインナケースと、
前記各ドリンク容器の底面側を受承可能な受承部を有し前記インナケースに傾動可能に連結された略逆Ｔ字形状のトレイとを備えた車両用ドリンクホルダであって、
前記受承部の両端には前記傾動に応じて前記各ドリンク容器の底面側の受承を拡大する方向に突出可能なサポート部材を備えたことを特徴とする車両用ドリンクホルダ。
【請求項２】
請求項１に記載の車両用ドリンクホルダであって、
前記トレイには、
前記トレイに対して摺動可能なスライド部材と、
前記受承部には、
前記車両の車幅方向に貫通孔を形成するとともに前記両サポート部材を前記貫通孔の双方向から挿入した状態で係止する弾性部材と、
前記サポート部材の前記貫通孔への挿入側端部には、
前記スライド部材の一端と当接可能な傾斜面とを備え、
前記トレイの傾動によってその一端は前記インナケースへ押し当てられ前記トレイに対し下方へ摺動されるとともに、その他端は前記両サポート部材の傾斜面を押し当て前記両サポート部材を前記弾性部材の弾性力に抗して前記車両の車幅方向に突出させることを特徴とする車両用ドリンクホルダ。
【請求項３】
請求項２に記載の車両用ドリンクホルダであって、
前記インナケースには、
前記トレイの傾動によって前記スライド部材の押し当てられる一端が係止する係止部を備えている、車両用ドリンクホルダ。
【発明の詳細な説明】
【技術分野】
【０００１】
本発明は、車両に設けたドリンクホルダに関し、詳しくは、車室内のインストルメントパネルの正面に引き出し自在に設けてある車両用ドリンクホルダに関する。
【背景技術】
【０００２】
この種の車両用ドリンクホルダは、例えば特許文献１に開示された技術が既に知られている。この技術では、図８に示すように車両の内装部材（インストルメントパネル）より出し入れ可能に設けられたカップ類を保持可能なカップホルダ本体２と、そのカップホルダ本体２の両側に回動可能なホルダアーム３、４とを備えている。またカップホルダ本体２に連結され、カップホルダ本体２を引き出した際カップ類の底面側を受承可能に傾動する受承部材１４を備えている。そしてこの受承部材１４を、カップホルダ本体２へと連結される受承部材本体部１４ａと、カップ類の底面の略中央部を受承するカップ底面受承部１５とから構成し、そのカップ底面受承部１５を受承部材本体部１４ａから上方へ起立させて設けている。このようにカップ底面受承部１５が受承部材本体部１４ａから起立しているので、たとえカップ類の底面側にフランジがあっても、カップ底面受承部はカップ類の底面の略中央部のみ受承し、受承部材１４の他の部位がフランジに当たらないようにしてカップ類を保持することができる。
【特許文献１】実公平５−３５８７２号公報
【発明の開示】
【発明が解決しようとする課題】
【０００３】
しかしながら、上述したホルダではカップホルダ本体にカップ２個分を保持するスペースが設けられており、それらのカップを安定して保持するためには十分な長さのカップ底面受承部が必要である。ところがカップ底面受承部はカップホルダ本体とともに車両の内装部材より出し入れされるために、カップ底面受承部の長さをカップホルダ本体の幅以内に収める必要がある。そのため大きなサイズのカップを保持するとそのカップサイズに対してカップ底面受承部が短くなり保持が不安定となることがあった。またカップ底面受承部を十分な長さにすればこの不安定は改善されるが、カップホルダ本体の幅を大きくする必要が生じる。なお一般的に車両の内装部材における配置スペースを有効利用するためにも出来るだけ小さいスペースで車両用カップホルダを配置することが望まれている。
【０００４】
本発明は、このような課題を解決しようとするもので、その目的は、ドリンクホルダの幅が小さくトレイの幅を広くとることができない場合であっても、ドリンク容器を安定して保持することができる車両用ドリンクホルダを提供することを課題とする。
【課題を解決するための手段】
【０００５】
本発明は、上記の目的を達成するためのものであって、以下のように構成されている。
請求項１に記載の発明は、インストルメントパネルの正面に形成した開口部内に固定されたアウタケースと、車幅方向に並べる複数のドリンク容器を把持する把持部を有し前記アウタケースに摺動自在に嵌装されて、前記アウタケースを介して前記開口部内に収納および前記開口部内から引き出し自在に装着されたインナケースと、前記各ドリンク容器の底面側を受承可能な受承部を有し前記インナケースに傾動可能に連結された略逆Ｔ字形状のトレイとを備えており、前記受承部の両端には前記傾動に応じて前記各ドリンク容器の底面側の受承を拡大する方向に突出可能なサポート部材を備えた構成である。この構成によれば、ドリンク容器をドリンクホルダに保持させながらトレイを傾動させていくにつれて受承部のサポート部材を突出させることができる。したがってドリンク容器を安定して保持することができる。
【０００６】
請求項２に記載の発明は、請求項１に記載の車両用ドリンクホルダであって、前記トレイには、前記トレイに対して摺動可能なスライド部材を備えている。また前記受承部には、前記車両の車幅方向に貫通孔を形成するとともに前記両サポート部材を前記貫通孔の双方向から挿入した状態で係止する弾性部材を備えている。また前記サポート部材の前記貫通孔への挿入側端部には、前記スライド部材の一端と当接可能な傾斜面を備えている。
そして前記トレイの傾動によってその一端は前記インナケースへ押し当てられ前記トレイに対し下方へ摺動されるとともに、その他端は前記両サポート部材の傾斜面を押し当て前記両サポート部材を前記弾性部材の弾性力に抗して前記車両の車幅方向に突出させる構成である。この構成によれば弾性部材を備え、トレイの傾動によるスライド部材の摺動により弾性部材の弾性力に抗して前記受承部のサポート部材を突出させることができる。逆にその傾動を戻すことにより弾性部材の復元力によって突出したサポート部材が戻る構成となる。そのためトレイの傾動によって容易に受承部を突出させたり、その突出を戻すことができる。
【０００７】
請求項３に記載の発明は、請求項２に記載の車両用ドリンクホルダであって、前記インナケースには、前記トレイの傾動によって前記スライド部材の押し当てられる一端が係止する係止部を備えている構成である。この構成によればトレイを傾動すると弾性部材の復元力によってその傾動にも復元する力が作用するが、トレイの傾動が復元しないようにスライド部材の一端を係止部に係止することができる。したがって使用時にトレイががたつくことなく安定してドリンク容器を保持できる。
【発明を実施するための最良の形態】
【０００８】
以下、本発明を実施するための最良の形態を、図１〜７を用いて説明する。
図１は、本発明の車両用ドリンクホルダ１の全体斜視図である。図２は、インナケース２０をアウタケース１０から引き出した状態を示している。図３は、インナケース２０をアウタケース１０へ収納した状態を示している。図４は、トレイ３０の分解斜視図である。図５（Ａ）は、図２の状態でのインナケース２０とトレイ３０の断面図である。図５（Ｂ）は、図３の状態でのインナケース２０とトレイ３０の断面図である。図６（Ａ）は、図２の状態でのトレイ３０を下方から見た斜視図である。図６（Ｂ）は、図３の状態でのトレイ３０を下方から見た斜視図である。図７は、ドリンク容器を保持した状態における本発明の車両用ドリンクホルダ１の正面図である。
【０００９】
まず図１を参照してドリンクホルダ１を説明する。このドリンクホルダ１はインストルメントパネル３（以下「インパネ３」と記す）正面の下部の開口部３ａに取り付けられている。そして、この開口部３ａ内に固定された方形状のアウタケース１０と、車幅方向に並べる複数（例えば、２本であり、以下この２本を例に説明する）のドリンク容器を把持する把持部２２、２２を有しアウタケース１０に摺動自在に嵌装されて、アウタケース１０を介して開口部３ａ内に収納および開口部３ａ内から引き出し自在に装着されたインナケース２０と、各ドリンク容器の底面側を受承可能な受承部３２を有しインナケース２０に傾動可能に連結された略逆Ｔ字形状のトレイ３０とによって構成されている。
【００１０】
インナケース２０は左右両側面が切り欠いてあり、その切り欠いた両縁がドリンク容器の保持部２４、２４となっている。またインナケース２０の手前側方向（図１において、Ａ方向）にはパネル２６が形成してあり、インナケース２０を収納および引き出しする際の押し込み部位となっている。
【００１１】
また両保持部２４、２４に対向する位置に略Ｃ字形状に湾曲した部材で構成された把持部２２、２２が設けてある。その一端には孔（図示しない）が貫通してありピン（図示しない）によりその内側が保持部２４と対向するようにインナケース２０に係止され回動可能に軸支してある。また、その孔には付勢手段とされたねじりコイルバネ（図示しない）が巻装されており、このねじりコイルバネは一端がインナケース２０へ、他端が把持部２２へ固着されている。そのため把持部２２を広げる方向または狭める方向（図２において、Ｃ方向またはＤ方向）に回動するとこのコイルバネによって付勢力が作用する。
【００１２】
このように構成されたインナケース２０はスライド機構（図示しない）を介してアウタケース１０に摺動自在に嵌装されている。またインナケース２０とアウタケース１０との間には、図示しないストッパが取り付けられており、このストッパによりインナケース２０は図２に示される位置から、さらに手前方向（図２において、右方向）への引き出しが阻止されたり、図３に示される位置から、さらに奥方向（図３において、左方向）への収納が阻止されるようになっている。
【００１３】
またアウタケース１０の後端部分（図１において、Ｂ側端部分）にはインナケース２０を収納位置に押し込んだ時にアウタケース１０の後端縁とインナケース２０の後端縁に付勢する圧縮コイルバネ（図示しない）が設けてある。またロック機構（図示しない）が設けてあり、このロック機構はインナケース２０を収納位置（図３に示す状態）に押し込むとストライカ（図示しない）と係合し、この係合状態でインナケース２０を圧縮コイルバネの弾性力に抗して若干押し込むとストライカの係合を解除するハートカムタイプを備えたプッシュオープン構造となっている。
【００１４】
つぎに、トレイ３０について説明する。図４に示すように、トレイ３０は略逆Ｔ字形状のプレートであり、本体の一端には支持軸３０ｃを備えこの支持軸３０ｃによりインナケース２０の下面に傾動可能に連結してあり、他端には各ドリンク容器の底面側を受承可能な受承部３２を備えている。またトレイ３０の下面（図４において、Ｆ側の面）にはピン孔３０ａ、３０ａが形成してある。また上下方向に長孔３６ｂ、３６ｂを穿設したスライド部材３６を備え、摺動ピン３６ａ、３６ａを長孔３６ｂ、３６ｂに挿通してピン孔３０ａ、３０ａへ取り付けることによって、スライド部材３６はトレイ３０に対して摺動可能となっている。
【００１５】
またトレイ３０の受承部３２には車幅方向に貫通した断面三角形状となる貫通孔３２ｂが形成してある。またこの貫通孔３２ｂには下面側を開放した開放面３２ｃが形成してある。またこの開放面３２ｃの両端の縁にはそれぞれ内方向に突出した突部３２ａ、３２ａが形成してある。
【００１６】
またこの貫通孔３２ｂに双方向から挿入可能な断面三角形状のサポート部材３４、３４を備えてある。このサポート部材３４は貫通孔３２ｂへの挿入部位となる挿入体３４ｂと非挿入部位となる支持体３４ａとにより一体成形されている。この挿入体３４ｂの挿入側となる端部は下り傾斜となる傾斜面３４ｂ３を形成している。また挿入体３４ｂの内部は挿入部３４ｂ１を有する中空形状となっており下面（図４において、Ｆ側の面）側は開放されている。この挿入部３４ｂ１の挿入側となる端部には突部３４ｂ２が設けてある。このように形成されたサポート部材３４を貫通孔３２ｂへ挿入し、その挿入状態で開放面３２ｃから弾性部材（例えば、コイルスプリング）３８を嵌め込み、弾性部材３８の両端部を突部３２ａと突部３４ｂ２とに固着することでサポート部材３４が貫通孔３２ｂから抜け出ることがないように係止している。
【００１７】
続いて上記のように構成されたドリンクホルダ１の使用における動作および作用について説明する。
図２に示されている状態では、インナケース２０はアウタケース１０から引き出されており、両把持部２２、２２はねじりコイルバネによって回転が阻止され、がたつきが防止されている。そしてドリンク容器を保持させる場合には、把持部２２をねじりコイルバネの付勢力に抗して広がる方向（図２において、Ｃ方向）へ回転させて、ドリンク容器を挿入可能な大きさとなるように把持部２２と保持部２４とで形成される保持空間２４ａを拡径した後に、ドリンク容器を上方向から保持空間２４ａへ挿入していく。
【００１８】
ドリンク容器を保持空間２４ａへ挿入していくにつれて、ドリンク容器の底面によってトレイ３０は押し付けられるため図５（Ａ）に示される水平状態から図５（Ｂ）に示される傾斜状態へと傾動していく。このように傾動していくと、トレイ３０のスライド部材３６の一端部（図５において、左端部）はインナケース２０へ当接しながら傾動していき、やがて凹み形状の係止部２８に係止され傾動が終了する。なおこの傾動による当接によってスライド部材３６はトレイ３０本体に対して受承部３２の方向（図５において、矢印方向）へ摺動されていく。
【００１９】
この摺動によってスライド部材３６の他端部は図６（Ａ）に示す位置から両サポート部材３４、３４の挿入体３４ｂ、３４ｂの傾斜面３４ｂ３、３４ｂ３を当接しながら押し込んでいく。この押し込みによって図６（Ｂ）に示されるように、両サポート部材３４、３４は、弾性部材３８の弾性力に抗してそれぞれ車幅方向（図６（Ｂ）において、矢印方向）へ突出させられていく。またこのトレイ３０を傾斜状態から水平状態に戻すことにより、スライド部材３６の摺動も戻され両サポート部材３４、３４は弾性部材３８の弾性力によって突出が戻されていく。
【００２０】
このように保持空間２４ａへ挿入されたドリンク容器の底面は、図７に示されるように受承部３２によって当接支持される。さらに受承部３２のサポート部材３４がドリンク容器の径方向へ突出（図７において、Ｌ）するため、より安定感のある支持となる。またこの挿入状態では把持部２２がドリンク容器の周壁に押圧当接されている。これによってドリンク容器は周壁が保持部２４にも押圧当接され、ドリンク容器の径方向への移動が阻止されがたつきが防止される。この状態からドリンク容器を保持空間２４ａから抜き取ると、把持部２２はねじりコイルバネに付勢されて回転されて挿入前の位置に戻る。
【００２１】
さらにこの状態からインナケース２０をアウタケース１０へ収納するには、インナケース２０のパネル２６をアウタケース１０へ押し込んでいく。この押し込みの際、両把持部２２、２２は押込力によってアウタケース１０の内壁に当接され、ねじりコイルバネの付勢力に抗して内側へ回転されながら摺動されていき、図３に示すようにインナケース２０はアウタケース１０内に収納される。この収納状態でも両把持部２２、２２はねじりコイルバネによる付勢力によってアウタケースの両内壁に押圧当接されている。またインナケース２０をアウタケース１０へ押し込むことによって、傾動により傾斜したトレイ３０はアウタケース１０の枠に当たることでインナケース２０との係止が解除されてトレイ３０はインナケース２０へと近づく方向（水平方向）へ傾動してインナケース２０とともにアウタケース１０へ収納されていく。
【００２２】
この収納状態からインナケース２０をアウタケース１０から引き出す場合には、インナケース２０のパネル２６を押し込むとプッシュオープン構造によってインナケース２０は引き出され、さらにパネル２６を引き出すことによってインナケース２０を引き出せばよい。この引き出しをストッパにより阻止される図２に示す位置まで実施する。この引き出しの際、両把持部２２、２２は引出力によって上述した収納時と逆に作動されて図２に示す位置まで戻ることになる。なお、この場合も両把持部２２、２２はアウタケース１０の両内壁に押圧当接状態で摺動されて引き出される。
【００２３】
このようにしてサポート部材３４が突出するため受承部３２は突出可能となり、ドリンク容器を受承する場合には受承部３２を突出させることができ、逆にドリンク容器を受承しない場合にはその突出を戻すことができる。そのためドリンクホルダの幅が小さくトレイの幅を広くとることができない場合であっても、ドリンク容器を受承する場合のみ受承部３２を突出させ伸ばすことによりドリンク容器を安定して保持することができる。またこの受承部３２は、ドリンク容器を保持空間２４ａに挿入していきその底面をトレイ３０に押し当て傾動させていくだけで容易に伸びていく。
【図面の簡単な説明】
【００２４】
【図１】本発明の車両用ドリンクホルダ１の全体斜視図である。
【図２】インナケース２０をアウタケース１０から引き出した状態を示している。
【図３】インナケース２０をアウタケース１０へ収納した状態を示している。
【図４】トレイ３０の分解斜視図である。
【図５】（Ａ）は、図２の状態でのインナケース２０とトレイ３０の断面図である。（Ｂ）は、図３の状態でのインナケース２０とトレイ３０の断面図である。
【図６】（Ａ）は、図２の状態でのトレイ３０を下方から見た斜視図である。（Ｂ）は、図３の状態でのトレイ３０を下方から見た斜視図である。
【図７】ドリンク容器を保持した状態における本発明の車両用ドリンクホルダ１の正面図である。
【図８】従来の車両用ドリンクホルダの全体斜視図である。
【符号の説明】
【００２５】
１     ドリンクホルダ
３     インストルメントパネル
３ａ   開口部
１０   アウタケース
２０   インナケース
２２   把持部
２８   係止部
３０   トレイ
３２   受承部
３２ｂ 貫通孔
３４   サポート部材
３４ｂ３  傾斜面
３６   スライド部材
３８   弾性部材
【図１】
2005306148.tif 000003
【図２】
2005306148.tif 000004
【図３】
2005306148.tif 000005
【図４】
2005306148.tif 000006
【図５】
2005306148.tif 000007
【図６】
2005306148.tif 000008
【図７】
2005306148.tif 000009
【図８】
2005306148.tif 000010